(57)【要約】【課題】電話回線と付属電話機を遮断することなく付属電話機の鳴動を抑制し、且つ、付属電話機のオフフック状態を検出可能な通信端末装置を提供する。【解決手段】フック状態検出手段８ａに、電話回線１の回線電流に基づいてフック状態を検出する回線電流検出部１０ａと、リンガー信号を減衰して電話機３の鳴動を阻止するリンガー信号減衰部１０ｂとからなる電話機制御部１０を備えるとともに、電話機３を電話回線１に直接並列に接続する第一接続状態と、電話機制御部１０を介して電話回線に接続する第二接続状態に切替え可能な接続状態切替手段８ｂを設けて構成する。【選択図】  図１
2004343455.tif 000002
【特許請求の範囲】
【請求項１】
電話回線に並列に接続された電話機のフック状態を検出するフック状態検出手段を備えた通信端末装置であって、
前記フック状態検出手段に、前記電話回線の回線電流に基づいてフック状態を検出する回線電流検出部と、リンガー信号を減衰して前記電話機の鳴動を阻止するリンガー信号減衰部とからなる電話機制御部を備えるとともに、前記電話機を前記電話回線に直接並列に接続する第一接続状態と、前記電話機制御部を介して前記電話回線に接続する第二接続状態に切替え可能な接続状態切替手段を設けてある通信端末装置。
【請求項２】
通信待機時の消費電力を低減する省電力モード制御手段を備え、前記接続状態切替手段は、前記省電力モード制御手段による省電力モード時に前記電話機を第二接続状態に切替えるように構成してある請求項１記載の通信端末装置。
【請求項３】
前記回線電流検出部は、前記省電力モード制御手段による省電力モード時に前記電話機のオフフック状態への移行またはリンガー信号を検出すると、前記省電力モード制御手段に対して省電力モードからの復帰信号を出力する請求項２記載の通信端末装置。
【発明の詳細な説明】
【０００１】
【発明の属する技術分野】
本発明は、電話回線に並列に接続された電話機のフック状態を検出するフック状態検出手段を備えた通信端末装置に関する。
【０００２】
【従来の技術】
従来、この種の通信端末装置として、発呼を主な用途とする付属電話機が接続可能に構成されたファクシミリ装置があり、付属電話機が接続された状態で電話回線から送られてくるリンガー信号が受信されると付属電話機が鳴動するため、予め設定された回数だけ鳴動すると付属電話機を回線から切断したり、直ちに付属電話機を回線から遮断制御する回線切替手段を設けて、遮断後にファクシミリ通信を実行するように構成されている。
【０００３】
しかし、付属電話機が回線から遮断された状態では電話機が使用できないため、付属電話機の受話器を取り上げたオフフック状態を検出するフック状態検出手段を設け、オフフック状態が検出されたときに回線切替手段により遮断された付属電話機を電話回線に接続するように再度切替える必要があった。ここで、電話回線から遮断された付属電話機のオフフックを検出するためには、そのための電力を供給する外部電源が必要となり、安全規格に従えば電話回線以外からの電力を供給するためには絶縁型ＤＣ−ＤＣコンバータが必要とされ、高価なものになるという問題があった。
【０００４】
また、通信待機時の消費電力を低減する省電力モード制御手段を備え、リンガー信号などの外部要因により省電力モードから通常モードに復帰する通信端末装置も提案されている。
【０００５】
【特許文献１】
特開２００１−２９２１９８号公報
【０００６】
【発明が解決しようとする課題】
しかし、上述した省電力モード制御手段を備えた通信端末装置では、省電力モード時に付属電話機を電話回線から遮断するものであるので、電話回線から遮断された付属電話機のオフフックを検出するためには、そのための電力を供給する外部電源が必要となり高価なものになるという問題に加えて、省電力モードとは相反して余分な電力を消費する事態を招くという問題もあった。
【０００７】
本発明の目的は、上述した従来の問題点に鑑み、電話回線と付属電話機を遮断することなく付属電話機の鳴動を抑制し、且つ、付属電話機のオフフック状態を検出可能な通信端末装置を提供する点にある。
【０００８】
【課題を解決するための手段】
上述の目的を達成するため、本発明による通信端末装置の第一の特徴構成は、特許請求の範囲の欄の請求項１に記載した通り、電話回線に並列に接続された電話機のフック状態を検出するフック状態検出手段を備え、前記フック状態検出手段に、前記電話回線の回線電流に基づいてフック状態を検出する回線電流検出部と、リンガー信号を減衰して前記電話機の鳴動を阻止するリンガー信号減衰部とからなる電話機制御部を備えるとともに、前記電話機を前記電話回線に直接並列に接続する第一接続状態と、前記電話機制御部を介して前記電話回線に接続する第二接続状態に切替え可能な接続状態切替手段を設けてある点にある。
【０００９】
第一接続状態では、電話機が前記電話回線に直接並列に接続されているので使用者は問題なく発呼可能となり、第二接続状態ではリンガー信号減衰部によりリンガー信号が減衰されるので、着呼状態であっても電話機の鳴動が確実に回避され、且つ、回線電流検出部によりフック状態が検出可能となる。電話機のオフフックが検出されると、接続状態検出手段は第二接続状態から第一接続状態に接続状態を切替えるのである。
【００１０】
従って、回線電流によりフック状態を検出することが可能となるので、高価な外部電源が不要で安価に所期の目的を達成することが可能になるのである。
【００１１】
同第二の特徴構成は、特許請求の範囲の欄の請求項２に記載した通り、上述の第一特徴構成に加えて、通信待機時の消費電力を低減する省電力モード制御手段を備え、前記接続状態切替手段は、前記省電力モード制御手段による省電力モード時に前記電話機を第二接続状態に切替えるように構成してある点にある。
【００１２】
通信端末機が省電力モードに移行しているときには、接続状態切替え手段により第二接続状態に切替えられているので、通常モードに復帰する遷移時であっても電話機の鳴動が確実に回避されるとともに、回線電流に基づいてフック状態が検出されるので、余分な電力の消費という事態も生じないのである。
【００１３】
同第三の特徴構成は、特許請求の範囲の欄の請求項３に記載した通り、上述の第二特徴構成に加えて、前記回線電流検出部は、前記省電力モード制御手段による省電力モード時に前記電話機のオフフック状態への移行またはリンガー信号を検出すると、前記省電力モード制御手段に対して省電力モードからの復帰信号を出力する点にある。
【００１４】
省電力モードで第二接続状態にあっても、オフフックが検出されると復帰信号に基づいて通常モードに移行するので、接続状態切替手段により速やかに第一接続状態に移行して問題なく通話可能となるのである。
【００１５】
【発明の実施の形態】
以下、図面に基づいて本発明の実施の形態を通信端末装置の一形態であるファクシミリ装置を例に説明する。図１に示すように、電話回線１にファクシミリ装置２が接続され、さらにファクシミリ装置２の電話回線拡張端子にリレー５を介して付属電話機３が並列に接続されている。
【００１６】
前記ファクシミリ装置２は、回線・モデムインターフェース回路６と、回線・モデムインターフェース回路６を介して電話回線１と接続されるモデム７と、装置全体の制御を司るべくＣＰＵとＣＰＵの実行プログラム（ソフトウェア）が格納されたＲＯＭと各種の制御データが格納されるＲＡＭと各制御ブロックとの間で制御データを授受する入出力回路を備え、原稿読取り部や画像出力部を制御する制御部８と、電話回線１から入力されるリンガー信号を検出して制御部８に伝達するリンガー信号検出部９と、電話回線１の回線電流に基づいてフック状態を検出する回線電流検出部１０ａと、リンガー信号を減衰して電話機３の鳴動を阻止するリンガー信号減衰部１０ｂとからなる電話機制御部１０などを備えて構成してある。
【００１７】
前記制御部８は、ファクシミリとしての画像データの送受信、入出力という基本機能を実行するハードウェア及びソフトウェアで構成される基本制御ブロックに加えて、前記電話機制御部１０により回線電流が検出されたときに付属電話機３がオフフックの状態にあり、回線電流が検出されないときにオンフックの状態にあると判断するフック状態検出手段８ａと、電話機３を電話回線１に直接並列に接続する第一接続状態と、電話機制御部１０を介して電話回線１に接続する第二接続状態に切替可能な接続状態切替手段８ｂと、通信待機時の消費電力を低減する省電力モード制御手段８ｃの各制御ブロックを備えている。
【００１８】
以下、図２に示すフローチャートに基づいて、要部の動作を説明する。通常の待機状態において、付属電話機３は接続状態切替手段８ｂによりリレー５がオフ（図１中、実線で示される接続状態）された第一接続状態に設定されており（Ｓ１）、リンガー信号検出部９により外部からの着呼であるリンガー信号が検出されると（Ｓ２）、予め設定した回数（ゼロに設定される場合もある）だけ付属電話機３を鳴動させた後に（Ｓ３）、リレー５がオン（図１中、破線で示される接続状態）された第二接続状態に切替えられて設定回数以上の鳴動が阻止され（Ｓ４）、回線・モデムインターフェース回路６によりファクシミリ通信が実行される（Ｓ５）。また、待機時にフック状態検出手段８ａによりオフフックが検出されると（Ｓ７）、ファクシミリ通信が抑制されて通話制御に入り、その状態で外部との通話が可能になる（Ｓ８）。
【００１９】
さらに、通常の待機状態において、設定時間リンガー信号が検出されないときや、通信端末装置の操作部（図示せず）を介した送信ジョブ等の起動操作がなされないときには（Ｓ９）、省電力モード制御手段８ｃにより装置の負荷に対する給電制御が停止され、ＣＰＵは自らスリープモードに遷移して、不必要な電力消費を回避する省電力モードに移行する（Ｓ１３）。その際、省電力モード制御手段８ｃは、接続状態切替手段８ｂを作動させてリレー５をオンして、付属電話機３を第一接続状態から第二接続状態に切替え制御する（Ｓ１２）。起動操作がなされればそれに対応したジョブが実行される（Ｓ１４）。
【００２０】
省電力モードにおいて、リンガー信号が電話回線１から入力されると（Ｓ１５）、電話機制御部１０のリンガー信号減衰部１０ｂによりリンガー信号が減衰され、その結果、微弱なリンガー信号が入力された付属電話機３は鳴動することが無い。そして、リンガー信号検出部９によりリンガー信号が検出されると、制御部８のＣＰＵに対してスリープ状態から復帰する復帰信号としての割込信号が出力される（Ｓ１６）。
【００２１】
前記割込信号によりスリープ状態から通常の動作状態に復帰したＣＰＵは（Ｓ１７）、接続状態切替手段８ｂを作動させてリレー５をオフして、付属電話機３を第一接続状態に切替え（Ｓ１）、リンガー信号検出部９により検出されるリンガー信号に基づき、予め設定した回数（ゼロに設定される場合もある）だけ付属電話機３を鳴動させた後に（Ｓ３）、再度リレー５をオンして第二接続状態に切替え（Ｓ４）、回線・モデムインターフェース回路６によりファクシミリ通信を実行する（Ｓ５）。
【００２２】
さらに、省電力モードにおいて、回線電流検出部１０ａによりオフフック状態が検出されると（Ｓ１８）、制御部８のＣＰＵに対してスリープ状態から復帰する復帰信号としての割込信号が出力される（Ｓ１６）。前記割込信号によりスリープ状態から通常の動作状態に復帰したＣＰＵは（Ｓ１７）、接続状態切替手段８ｂを作動させてリレー５をオフして、付属電話機３を第一接続状態に切替え（Ｓ１）、外部に対して発呼可能な状態に移行するとともに、ファクシミリ通信を抑制する（Ｓ７，Ｓ８）。以下、同様の動作が繰り返される。
【００２３】
ここで、リンガー信号検出部９及び回線電流検出部１０ａから制御部８への出力信号は、通常の制御信号として制御部８を構成する入出力回路に各別に状態信号として入力されるとともに、ＣＰＵに対するスリープ状態からの復帰用の共通の割込信号として、省電力モードのときにのみ入力可能なゲート回路を介してＣＰＵの割込入力ポートに入力されるように構成されている。従って、通常モードにおいては、ＣＰＵに割り込みはかからず、単にリンガー検出信号、オフフック検出信号としての状態信号が入力されるように構成されている。
【００２４】
以下に、電話回線１の回線電流に基づいてフック状態を検出する回線電流検出部１０ａと、リンガー信号を減衰して電話機３の鳴動を阻止するリンガー信号減衰部１０ｂとからなる電話機制御部１０について詳述する。
【００２５】
図３（ａ）は、図１に示す端子ａ，ｂ，ｃからなる電話機制御部１０の回路ブロック図であり、電話回線１の一方の端子が端子ａに接続され、リレー５がオンされた第二接続状態において電話回線１の他方の端子が付属電話機３を介して端子ｂに入力される。
【００２６】
リンガー信号減衰部１０ｂは、リンガー信号を減衰させる抵抗Ｒと交流成分を通過させるコンデンサＣで構成され、抵抗Ｒの抵抗値を高く設定することによりリンガー信号の電力が消費されて電話機３による鳴動が阻止される。
【００２７】
回線電流検出部１０ａは、前記リンガー信号減衰部１０ｂにより減衰した微小な回線電流に対して電流を検出して電圧信号に変換する電流検出回路と、電流検出回路の出力を増幅する増幅回路で構成され、その出力が端子ｃを介して制御部８に入力される。具体的には、フォトカップラー回路とトランジスタ増幅回路を用いて構成されている。
【００２８】
図３（ｂ）は、電話機制御部１０の別実施形態を示し、リンガー信号減衰部１０ｂは、電話回線１が両極性であることに対応したダイオードブリッジ回路とトランジスタ増幅回路で構成される。リンガー信号は抵抗Ｒ１、コンデンサＣ２を介して電話機３に入力される。このとき、抵抗Ｒ１の抵抗値を高く設定することによりリンガー信号の電力が消費されて電話機３による鳴動が阻止されるように構成されている。他方、ＤＣレベルはトランジスタを用いた電流増幅により抵抗Ｒ１，Ｒ２を介して電話機３に伝達される。
【００２９】
回線電流検出部１０ａは、上述と同様に電流検出回路で構成される。尚、コンデンサＣ１はリンガー信号のバイパス用に並列接続されたものである。
【００３０】
上述した実施形態では、電話機３を電話回線１に直接並列に接続する第一接続状態と、電話機制御部１０を介して電話回線１に接続する第二接続状態に切替可能な接続状態切替手段８ｂを設けて、通常状態であるファクシミリ送受信中には電話の使用を抑制する第二接続状態に移行するものを説明したが、電話回線１と付属電話機３を遮断する第三接続状態に切替えるリレーを設けて、ファクシミリ送受信中には第三接続状態に切替えるように構成してもよい。
【００３１】
上述の実施形態では、省電力モードからの復帰信号として、リンガー信号を検出するリンガー信号検出部９からの出力信号と、回線電流検出部１０ａからのオフフック検出信号の双方を用いる例を説明したが、回線電流検出部１０ａをリンガー信号をも検出可能な回路構成として、リンガー信号に対する復帰信号も回線電流検出部の出力信号を兼用するように構成してもよい。
【００３２】
上述した実施形態では、通信待機時の消費電力を低減する省電力モード制御手段を備えたものを説明したが、省電力モード制御手段を備えていないファクシミリ装置に対しても適用可能であることはいうまでもない。
【００３３】
上述した実施形態では、通信端末装置としてファクシミリ装置を例に説明したが、他の種類の通信端末装置にも適用可能である。
【００３４】
【発明の効果】
以上の説明から明らかなように、本発明によれば、電話回線と付属電話機を遮断することなく付属電話機の鳴動を抑制し、且つ、付属電話機のオフフック状態を検出可能な通信端末装置を提供することができるようになった。
【図面の簡単な説明】
【図１】本発明による通信端末装置のブロック構成図
【図２】本発明による通信端末装置の動作を説明するフローチャート
【図３】要部の回路ブロック構成図
【符号の説明】
１：電話回線
２：ファクシミリ装置
３：付属電話機
５：リレー
６：回線・モデムインターフェース回路
７：モデム
８：制御部
８ａ：フック状態検出手段
８ｂ：接続状態切替手段
８ｃ：省電力モード制御手段
９：リンガー信号検出部
１０：回線電流検出部
１０ａ：回線電流検出部
１０ｂ：リンガー信号減衰部
【図１】
2004343455.tif 000003
【図２】
2004343455.tif 000004
【図３】
2004343455.tif 000005